(57)【要約】【課題】キースイッチから成る専用操作部を設けることなく、暗証呼びモードに設定し、選択された目的階へ乗かごを昇降させることができるエレベータの呼び登録装置の提供。【解決手段】本発明は、制御盤１に、呼び登録ボタン２〜５の特殊操作に応じて通常運転モードとは異なる暗証呼びモードに設定するモード設定部１８と、呼び登録ボタン２〜５に赤色、青色、黄色をランダムに点灯させる色信号送信部１９と、赤色、青色、黄色にランダムに点灯しているときに呼び登録ボタン２〜５が押圧されたとき、該当する色信号を受信する色信号受信部２１と、この色信号受信部２１で受信された色信号に相応する所定色に対応する目的階へ、乗かご１３を昇降させる制御処理を行う制御部１７とを設けた構成にしてある。【選択図】図２
2013035632.tif 000002
【特許請求の範囲】
【請求項１】
乗かごの通常運転を行わせる通常操作とは異なる操作に応じて目的階の呼び登録を行い、前記乗かごを前記目的階へ昇降させることを可能にするエレベータの呼び登録装置において、
乗場に設けられた呼び登録ボタンで特殊操作が為されたとき、設定されるモードを、前記通常操作による呼び登録を有効にする通常運転モードから、前記通常操作による呼び登録を無効にする暗証呼びモードに切り換えるモード設定部と、
このモード設定部における前記暗証呼びモードの設定に応じて色信号を前記乗場の前記呼び登録ボタンに送信し、前記呼び登録ボタンを複数色に点灯させる色信号送信部と、
前記乗場に設けられた前記呼び登録ボタンが複数色に点灯している状態にあって、前記乗場の前記呼び登録ボタンが押圧されたとき、該当する呼び登録ボタンの押圧操作に係る色信号を受信する色信号受信部と、
予め設定される前記複数色に含まれる所定色と、この所定色に対応する目的階との関係に基づいて、色信号受信部で受信された前記色信号に相応する所定色に対応する目的階を判別する判別部と、
この判別部で判別された目的階への呼びを登録し、該当する目的階へ前記乗かごを昇降させる制御処理を行う制御部とを備えたことを特徴とするエレベータの呼び登録装置。
【請求項２】
請求項１に記載のエレベータの呼び登録装置において、
前記判別部には、前記複数色に含まれるものの、前記所定色とは異なる特定色も設定され、
前記判別部は、前記暗証呼びモードに設定されている状態で前記特定色が前記色信号受信部で受信されたとき、前記暗証呼びモードを解除する指示がなされたと判別する処理を行い、
前記モード設定部は、前記判別部の前記暗証呼びモードを解除する指示がなされたと判別する処理に応じて、設定されるモードを、前記暗証呼びモードから前記通常運転モードに切り換える処理を行い、
前記制御部は、前記モード設定部で前記通常運転モードが設定されたとき、前記乗かごの前記通常運転を行わせる制御処理を実行することを特徴とするエレベータの呼び登録装置。
【発明の詳細な説明】
【技術分野】
【０００１】
本発明は、乗かごの通常運転を行わせる通常操作とは異なる操作に応じて目的階の呼び登録を行うことができるエレベータの呼び登録装置に関する。
【背景技術】
【０００２】
エレベータでは防犯のために、乗かごの通常運転を行わせる通常操作とは異なる操作に応じて目的階の呼び登録を行うことができる呼び登録装置を設けることがある。このような呼び登録装置は、事前に設定された操作を行わなければ、目的階への呼び登録ができない、いわゆる暗証呼びモードにすることが可能な呼び登録装置である。この種の従来技術として、特許文献１に開示されたものがある。この従来技術は、鍵を所有する特定の人間がキースイッチを操作することで、暗証呼びモードに設定するようになっている。
【先行技術文献】
【特許文献】
【０００３】
【特許文献１】特開平１−２９９１７５号公報
【発明の概要】
【発明が解決しようとする課題】
【０００４】
前述した従来技術は、暗証呼びモードに設定するためのキースイッチすなわち専用操作部を要するために、専用操作部を特別に設けることが必要になる。このためにエレベータの呼び登録装置の設置に要する設備コストが高くなる問題がある。
【０００５】
本発明は、前述した従来技術における実状からなされたもので、その目的は、キースイッチから成る専用操作部を設けることなく、暗証呼びモードに設定し、選択された目的階へ乗かごを昇降させることができるエレベータの呼び登録装置を提供することにある。
【課題を解決するための手段】
【０００６】
前記目的を達成するために、本発明に係るエレベータの呼び登録装置は、乗かごの通常運転を行わせる通常操作とは異なる操作に応じて目的階の呼び登録を行い、前記乗かごを前記目的階へ昇降させることを可能にするエレベータの呼び登録装置において、乗場に設けられた呼び登録ボタンで特殊操作が為されたとき、設定されるモードを、前記通常操作による呼び登録を有効にする通常運転モードから、前記通常操作による呼び登録を無効にする暗証呼びモードに切り換えるモード設定部と、このモード設定部における前記暗証呼びモードの設定に応じて色信号を前記乗場の前記呼び登録ボタンに送信し、前記呼び登録ボタンを複数色に点灯させる色信号送信部と、前記乗場に設けられた前記呼び登録ボタンが複数色に点灯している状態にあって、前記乗場の前記呼び登録ボタンが押圧されたとき、該当する呼び登録ボタンの押圧操作に係る色信号を受信する色信号受信部と、予め設定される前記複数色に含まれる所定色と、この所定色に対応する目的階との関係に基づいて、色信号受信部で受信された前記色信号に相応する所定色に対応する目的階を判別する判別部と、この判別部で判別された目的階への呼びを登録し、該当する目的階へ前記乗かごを昇降させる制御処理を行う制御部とを備えたことを特徴としている。
【０００７】
このように構成した本発明は、乗場の呼び登録ボタンで特殊操作が為されたときに、モード設定部により通常操作による呼び登録を無効にする暗証呼びモードに設定され、色信号送信部によって呼び登録ボタンを複数色に点灯させる操作が行われる。このように呼び登録ボタンが複数色に点灯している状態において、呼び登録ボタンが所定色に関連させて押圧されたときに、判定部で色信号受信部から送信される色信号に係る所定色に応じた目的階が判別され、制御部によってその判別された目的階への乗かごの昇降制御が実行される。すなわち本発明は、キースイッチから成る専用操作部を設けることなく、暗証呼びモードに設定し、選択された目的階へ乗かごを昇降させることができる。
【０００８】
また本発明は、前記発明において、前記判別部には、前記複数色に含まれるものの、前記所定色とは異なる特定色も設定され、前記判別部は、前記暗証呼びモードに設定されている状態で前記特定色が前記色信号受信部で受信されたとき、前記暗証呼びモードを解除する指示がなされたと判別する処理を行い、前記モード設定部は、前記判別部の前記暗証呼びモードを解除する指示がなされたと判別する処理に応じて、設定されるモードを、前記暗証呼びモードから前記通常運転モードに切り換える処理を行い、前記制御部は、前記モード設定部で前記通常運転モードが設定されたとき、前記乗かごの前記通常運転を行わせる制御処理を実行することを特徴としている。
【０００９】
このように構成した本発明は、呼び登録ボタンが複数色に点灯している状態において、特定色に関連させて呼び登録ボタンが押圧されたとき、判別部によって暗証呼びモードが解除されたと判別される。これに応じてモード設定部において通常運転モードに切り換えられ、制御部により乗かごの通常運転を行わせる制御処理が実行される。すなわち本発明は、キースイッチから成る専用操作部を設けることなく、暗証呼びモードを解除させ、通常運転に復帰させることができる。
【発明の効果】
【００１０】
本発明は、乗場の呼び登録ボタンで特殊操作が為されたときに暗証呼びモードに設定するモード設定部と、このモード設定部で暗証呼びモードに設定されたときに呼び登録ボタンを複数色に点灯させる色信号送信部と、呼び登録ボタンが複数色に点灯している状態で、呼び登録ボタンが押圧されたときに、押圧された呼び登録ボタンに係る色信号を受信する色信号受信部と、この色信号受信部で受信された色信号に基づいて目的階を判別する判別部と、この判別部で判別された目的階へ乗かごを昇降させる制御部とを備えた構成にしてある。この構成に伴って本発明は、キースイッチから成る専用操作部を設けることなく、暗証呼びモードに設定し、選択された目的階へ乗かごを昇降させることができる。これにより本発明は、従来技術に比べてエレベータの呼び登録装置の設置に要する設備コストを低減させることができ、優れた実用性を確保することができる。
【図面の簡単な説明】
【００１１】
【図１】本発明に係る呼び登録装置の一実施形態が設けられるエレベータの一例を示す図である。
【図２】本実施形態の要部構成を示すブロック図である。
【図３】図１に示すエレベータの乗場に設けられる呼び登録ボタンで押圧された色の組み合わせと、判定部における判定結果との関係を示す図である。
【図４】暗証呼びモードにあって、目的階を２階とした場合の本実施形態の動作を示すフローチャートである。
【発明を実施するための形態】
【００１２】
以下、本発明に係るエレベータの呼び登録装置の実施の形態を図に基づいて説明する。
【００１３】
本実施形態に係る呼び登録装置が設けられるエレベータは、図１に示すように、昇降路内に昇降可能に設けられる乗かご１３と、この乗かご１３とロープ１２によって接続され、昇降可能なつり合い重り１６とを備えている。ロープ１２はモータ１１によって駆動され、モータ１１は制御盤１によって制御される。乗かご１３に設けられる電気・電子機器と制御盤１とは信号線１４で接続され、制御盤１とモータ１１とは信号線１０で接続されている。各階床、例えば４階の乗場６、３階の乗場７、２階の乗場８、及び１階の乗場９のそれぞれには、呼び登録ボタン２，３，４，５が設置されている。これらの呼び登録ボタン２〜５は、例えば赤色、青色、黄色にランダムに点灯可能になっている。また、呼び登録ボタン２〜５のそれぞれは、信号線１５によって制御盤１に接続されている。
【００１４】
本実施形態に係る呼び登録装置は、制御盤１に設けてあり、図２に示すように、乗場６〜９に設けられた呼び登録ボタン２〜５が所定時間以上、例えば３０秒以上押圧される特殊操作が為されたとき、設定されるモードを、通常運転を行わせる通常操作による呼び登録を有効にする通常運転モードから、通常操作による呼び登録を無効にする暗証呼びモードに切り換えるモード設定部１８を備えている。なお、特殊操作とは通常操作では行われない呼び登録ボタンの操作であって、前述の３０秒以上長押しのほか、ある所定時間内に、１０秒以上の長押しを３回繰り返すなどの操作であってもよく、通常の乗客が行う操作で偶然設定されてしまうことがないような操作であることが望ましい。
【００１５】
また本実施形態は、モード設定部１８における暗証呼びモードの設定に応じて赤色、青色、黄色の色信号を呼び登録ボタン２〜５に送信し、呼び登録ボタン２〜５を複数色、すなわち赤色、青色、黄色にランダムに点灯させる色信号送信部１９を備えている。
【００１６】
また本実施形態は、色信号送信部１９から色信号が送信されて前述のように乗場６〜９に設けられた呼び登録ボタン２〜５が赤色、青色、黄色にランダムに点灯している状態にあって、乗場６〜９の該当する色に関連させて呼び登録ボタン２〜５が押圧されたとき、押圧されたときの色である赤色、青色、黄色のいずれかに該当する色信号を受信する色信号受信部２１を備えている。
【００１７】
また本実施形態は、予め設定される複数色のうちの所定色と、この所定色に対応する目的階の関係に基づいて、色信号受信部２１で受信された色信号に相応する所定色に対応する目的階を判別する判別部２０を備えている。
【００１８】
この判別部２０で設定される所定色と目的階との関係は、例えば図３に示されるようになっている。すなわち、呼び登録ボタン２〜５のうちの該当する階床乗場の呼び登録ボタンが赤色点灯時に２回押される（赤色−赤色）と、目的階は１階となるように設定されている。ここでは、赤色−赤色の色の組み合わせが、所定色を形成している。また、呼び登録ボタンが赤色点灯時に１回押され、次に青色点灯時に１回押される（赤色−青色）と、目的階は２階となるように設定されている。ここでは、赤色−青色の色の組み合わせが所定色を形成している。また呼び登録ボタンが青色点灯時に２回押される（青色−青色）と、目的階は３階となるように設定されている。ここでは、青色−青色の色の組み合わせが所定色を形成している。また呼び登録ボタンが青色点灯時に１回押され、次に黄色点灯時に１回押される（青色−黄色）と、目的階は４階となるように設定されている。ここでは、青色−黄色の色の組み合わせが所定色を形成している。
【００１９】
なお、呼び登録ボタンが黄色点灯時に１回押され、次に赤色点灯時に１回押され、次に青色点灯時に１回押される（黄色−赤色−青色）と、暗証呼びモードの解除の指示、すなわち通常運転モードへの設定変更が指示されたと判別されるようになっている。ここでは、黄色−赤色−青色の色の組み合わせが、前述した各所定色とは異なる特定色を形成している。
【００２０】
また本実施形態は、判別部２０で判別された目的階への呼びを登録し、該当する目的階へ乗かご１３を昇降させる制御処理を行う制御部１７を備えている。
【００２１】
なお、前述したモード設定部１８は、判別部２０の暗証呼びモードを解除する指示がなされたと判別する処理に応じて、設定されるモードを、暗証呼びモードから通常運転モードに切り換える処理を行う。
【００２２】
また、制御部１７は、モード設定部１８で通常運転モードが設定されたとき、呼び登録ボタン２〜５のそれぞれの押圧操作に応じて、乗かご１３の通常運転を行わせる制御処理を実行する。
【００２３】
このように構成した本実施形態に係る呼び登録装置の動作を以下に説明する。
【００２４】
［通常運転モード］
例えば４階の乗場６から２階の乗場８まで、乗かご１３を利用する際には、利用者によって４階の乗場６の呼び登録ボタン２が押される。これに伴って、呼び登録ボタン２から信号線１５を介して制御盤１の制御部１７に信号が送信される。
【００２５】
制御部１７は、信号線１０を介してモータ１１に電流を流すように指令し、モータ１１が回転する。このモータ１１の回転によってロープ１２が移動し、乗かご１３及びつり合い重り１６が昇降し、乗かご１３は４階の乗場６に到着する。
【００２６】
乗かご１３に乗り込んだ利用者は、乗かご１３内に設置された目的階である２階の図示しない階床ボタンを押す。これにより、信号線１４を介して制御盤１の制御部１７に信号が送信され、制御部１７は、この信号に応じたモータ１１の制御を行う。これにより、乗かご１３は目的階である２階の乗場８まで下降する。２階の乗場８に乗かご１３が到着すると、利用客は乗かご１３から２階の乗場８に降りることになる。
【００２７】
［暗証呼びモード］
次に、本実施形態で実行される暗証呼びモードについて、図４に示すフローチャートを参照して説明する。なお、ここでは一例として、４階の乗場６において暗証呼びモードに設定され、次に２階の乗場８への呼び登録が行われ、その後に２階の乗場８で暗証呼びモードを通常運転モードに復帰させる操作が行われる場合について説明する。
【００２８】
４階の乗場６の利用者が、呼び登録ボタン２を所定時間以上、例えば前述のように３０秒以上長押しする特殊操作を行う（手順Ｓ１）。そのときの信号が信号線１５を介して制御盤１の制御部１７に送信され、さらにモード設定部１８に送信される。これによりモード設定部１８は、設定されるモードを、通常運転モードから暗証呼びモードにする処理を行う。これに応じて制御部１７は、前述の通常操作では乗かご１３が昇降しないように制御する（手順Ｓ２）。
【００２９】
モード設定部１８における暗証呼びモードの設定に伴い、色信号送信部１９は、各乗場６〜９のそれぞれの呼び登録ボタン２〜５を、赤色、青色、黄色にランダムに点灯させる処理を行う（手順Ｓ３）。
【００３０】
このような状態において、４階の乗場６の利用者が、例えば呼び登録ボタン２を赤色点灯時に１回押し、次に青色点灯時に１回押す（手順Ｓ４）。これにより、赤色−青色の色の組み合わせから成る所定色に相応する色信号が信号線１５を介して制御盤１の色信号受信部２１に受信される。
【００３１】
この色信号受信部２１の受信に応じて、判別部２０は図３に示す関係から、赤色−青色の色の組み合わせから成る所定色に対応する２階の乗場８が目的階であると判別する。その判別結果が制御部１７に出力され、制御部１７は呼び操作が行われた４階の乗場６まで乗かご１３を移動させ、その後に暗証呼び登録を行い（手順Ｓ５）、さらに目的階である２階の乗場８への行き先階登録を行う（手順Ｓ６）。
【００３２】
利用者が４階の乗場６から乗かご１３に乗り込んだ後、制御部１７は乗かご１３を２階の乗場８まで下降運転させるようにモータ１１を駆動制御する。これにより乗かご１３は２階の乗場８に到着し、利用者は乗かご１３から２階の乗場８に降りることができる。なお、暗証呼びモード設定中は、乗かご１３内に設けられる階床ボタンの操作は無効とされ、乗り場６〜９の呼び登録ボタン２〜５の操作のみで乗かご１３の昇降制御が行われるようになっている。
【００３３】
［暗証呼びモードの解除］
例えば、２階の乗場８に降りた利用者が、暗証呼びモードを解除する場合には、２階乗場８の点灯状態にある呼び登録ボタン４を、黄色点灯時に１回押し、次に赤色点灯時に１回押し、次に青色点灯時に１回押す操作を行う（手順Ｓ７）。
【００３４】
このときの黄色−赤色−青色の色の組み合わせから成る特定色に相応する色信号が、色信号受信部２１を介して判別部２０に送信される。判別部２０は図３に示す関係から、黄色−赤色−青色の色の組み合わせから成る特定色に対応する通常運転モードへの復帰の指示がなされたことを判別する。この判別部２０における判別結果に応じて、モード設定部１８は、設定されるモードを、暗証呼びモードから通常運転モードに切り換える処理を行う。このモード設定部１８における通常運転モードへの設定モードの変更に伴って、制御部１７は、前述した乗かご１３の通常運転を実行させる制御処理を行う（手順Ｓ８）。
【００３５】
このように構成した本実施形態は、前述したように、乗り場６〜９の呼び登録ボタン２〜５が長押しされたときに、モード設定部１８により通常操作による呼び登録を無効にする暗証呼びモードに設定され、色信号送信部１９によって呼び登録ボタン２〜５を赤色、青色、黄色にランダムに点灯させる操作が行われる。このように呼び登録ボタン２〜５が点灯している状態において、呼び登録ボタン２〜５のいずれかが押圧されたときに、判別部２０で色信号受信部２１から送信される色信号に係る所定色に応じた目的階が判別され、制御部１７によってその判別された目的階への乗かご１３の昇降制御が実行される。すなわち本実施形態は、キースイッチから成る専用操作部を設けることなく、暗証呼びモードに設定し、選択された目的階へ乗かご１３を昇降させることができる。これにより、本実施形態は、当該エレベータの呼び登録装置の設置に要する設備コストを低減させることができ、優れた実用性を確保することができる。
【００３６】
また本実施形態は、前述したように、呼び登録ボタン２〜５のそれぞれが赤色、青色、黄色にランダムに点灯している状態において、特定色（黄色−赤色−青色の色の組み合わせ）に相応して呼び登録ボタン２〜５が押されたとき、判別部２０によって暗証呼びモードが解除されたと判別される。これに応じて、モード設定部１８において通常運転モードに切り換えられ、制御部１７により乗かご１３の通常運転を行わせる制御処理が実行される。すなわち本実施形態は、キースイッチから成る専用操作部を設けることなく、暗証呼びモードを解除させ、通常運転に復帰させることができる。
【００３７】
なお、前述した実施形態では、所定色を２つの色の組み合わせによって形成したが、単一色によって、あるいは３つ以上の色の組み合わせによって、所定色を形成するようにしてもよい。また、前述した実施形態では、特定色を３つの色の組み合わせによって形成したが、単一色、または２つの色の組み合わせによって、または４つ以上の色の組み合わせによって、特定色を形成するようにしてもよい。
【符号の説明】
【００３８】
１    制御盤
２    呼び登録ボタン
３    呼び登録ボタン
４    呼び登録ボタン
５    呼び登録ボタン
６    ４階の乗場
７    ３階の乗場
８    ２階の乗場
９    １階の乗場
１０  信号線
１１  モータ
１２  ロープ
１３  乗かご
１４  信号線
１５  信号線
１６  つり合い重り
１７  制御部
１８  モード設定部
１９  色信号送信部
２０  判別部
２１  色信号受信部
【図１】
2013035632.tif 000003
【図２】
2013035632.tif 000004
【図３】
2013035632.tif 000005
【図４】
2013035632.tif 000006